(57)【要約】【課題】従来から課題とされていた、シルクを毛先に使用する際の弱点を解決しながら、人々の環境や天然素材への関心に適した、買換え時期がわかり易く、シルクの効果を最大限発揮できるスキンケア商品を提供する。【解決手段】シルクを毛に使用し、ハンディータイプの柄に取り付け、毛と柄の接続部分の直径を１０ｍｍ〜５０ｍｍとした次のような形状の筆にする。図３のパターンＡは、扁平率２０％において毛の長さ５４ｍｍ以上、扁平率４８％において毛の長さ４５ｍｍ以上、扁平率８０％において毛の長さ３０ｍｍ以上という、２０％〜８０％の扁平率に応じて各毛の長さを調節した形状を示すが、このパターンＡのラインの数値を基準とし、毛の長さと扁平率をこのライン以上の数値に調節した形状の、顔及び全身スキンケア用の筆を開発。さらにこの筆にゴールデンシルクを使用することで、効果的な使用期間のわかり易さも加えた商品にする。【選択図】図１
2010188108.tif 000002
【特許請求の範囲】
【請求項１】
シルクを毛に使用し、ハンディータイプの柄に取り付け、毛と柄の接続部分の直径を１０ｍｍ〜５０ｍｍとした次のような形状の筆にする。図３のパターンＡは、扁平率２０％において毛の長さ５４ｍｍ以上、扁平率４８％において毛の長さ４５ｍｍ以上、扁平率８０％において毛の長さ３０ｍｍ以上という、２０％〜８０％の扁平率に応じて各毛の長さを調節した形状を示すが、このパターンＡのラインの数値を基準とし、毛の長さと扁平率をこのラインより上の数値に調節した（ライン上の数値を含む）形状の、顔及び全身スキンケア用の筆。
【請求項２】
シルクを毛に使用し、ハンディータイプの柄に取り付け、毛と柄の接続部分の直径を１０ｍｍ〜５０ｍｍとした次のような形状の筆にする。扁平率２０％において毛の長さ５４ｍｍ〜９０ｍｍ、扁平率４８％において毛の長さ４５ｍｍ〜８０ｍｍ、扁平率８０％において毛の長さ３０ｍｍ〜６５ｍｍという、２０％〜８０％の扁平率に応じて設定範囲内で各毛の長さを調節した形状とする。つまり、図３のパターンＡを基準としそのラインより上の数値（ライン上の数値を含む）、かつシルクが筆の毛としての形状を保てる限界を示したパターンＢのラインより下の数値（ライン上の数値を含む）の間で毛の長さと扁平率を調節した形状の、顔及び全身スキンケア用の筆。
【請求項３】
ゴールデンシルクを毛として使用した、請求項１又は２に記載の顔及び全身スキンケア用の筆。
【請求項４】
請求項１、２又は３に記載の筆において、軸と毛先部分が分離できる状態にし、毛先部分の取替えを可能にした顔及び全身スキンケア用の筆。
【発明の詳細な説明】
【技術分野】
【０００１】本発明は、肌への負担を少なくし、買換え時期が一目でわかるように開発した、シルクを用いた顔及び全身スキンケア用の筆に関するものである。
【背景技術】
【０００２】従来からシルクには美容効果などの優れた機能があった。そのためシルクを取り入れた商品は多く開発されてきた。例えば、シルクを筆などに加工する場合には腰や強度等の問題があったため、下記特許文献からもわかるように、２本以上の絹糸を撚り合わせ又は合糸し、水溶性セリシン又はフィブロインで撚り合わせ又は合糸した糸同士を接着、そして接着成分であるセリシン又はフィブロインを不溶化固定処理した合糸を適量本束ねたもの、又、セリシン水溶液などにハーブエキス、抗菌剤、香料等をコーティング及び浸透させるなど他の機能と混合した商品にする等の加工が必要であった。また、現代市場では獣毛等でできたブラシや筆、シルクを布状にした製品等肌触りが良く美容効果を有している商品はニーズが高い。さらに近年、環境問題が多く取りあげられ、天然素材やエコへの関心が高まっていることからも、これらの素材を使用したスキンケア商品は、現代人にとって大変関心のあるものとなっている。
【特許文献１】特開平１１−２９９５４０号公報
【発明の開示】
【発明が解決しようとする課題】
【０００３】シルクをスキンケア用の素材として用いる場合、以下３つの課題がある。
第１の課題として、シルクを筆の毛に用いる場合、獣毛と比較して細かく柔らかいため、強度、腰、耐久性等に問題があった。
第２の課題としてシルクを筆の先に用いた場合、毛の先端が肌に触れると肌触りが悪いという問題があった。これはシルクの糸が長繊維のため、筆の形状にするにはカットしなければならず、その際発生する断面が原因となっていたからである。
尚、獣毛は毛の先端が徐々に細くなっているため、その問題はない。
第３の課題として、一般的に販売されているシルクを用いたスキンケア商品は、肌触りや使用時間など、感覚的なものでしかその使用限度がわからないという問題があった。
本発明ではこれらの問題点を解決し、人々の環境や天然素材への関心にマッチし、かつシルクの効果を最大限実感できるスキンケア商品を提供する。
【課題を解決するための手段】
【０００４】ハンディータイプの金属、プラスチック、木等で形成された柄に、天然のシルクを毛として使用し、毛と柄の接続部分を少し押しつぶした下記のような形状の筆にする。
毛と柄の接続部分の直径を１０ｍｍ〜５０ｍｍとし、毛足の長さと扁平率を調節した形状にする。図３のパターンＡは、扁平率２０％において毛の長さ５４ｍｍ以上、扁平率４８％において毛の長さ４５ｍｍ以上、扁平率８０％において毛の長さ３０ｍｍ以上という、２０％〜８０％の扁平率に応じて各毛の長さを調節した形状を示す。そして、このパターンＡのラインの数値を基準とし、毛の長さと扁平率をこのラインより上の数値に調節した（ライン上の数値を含む）形状の筆を開発。さらに、扁平率２０％において毛の長さ５４ｍｍ〜９０ｍｍ、扁平率４８％において毛の長さ４５ｍｍ〜８０ｍｍ、扁平率８０％において毛の長さ３０ｍｍ〜６５ｍｍという、２０％〜８０％の扁平率に応じて設定範囲内で各毛の長さの調節をすることにより、より好ましい形状の筆とする。つまり、パターンＡを基準としそのラインより上の数値（ライン上の数値を含む）、かつシルクを毛に使用するにあたり、筆の毛としての形状が保てる限界範囲を示すパターンＢのラインより下の数値（ライン上の数値を含む）の間で、毛の長さと扁平率を調節した形状の筆にする。毛の長さと扁平率を、パターンＡの基準ラインより上の数値の形状にすることで、筆を寝かせた角度で使用する状態を作り出せる。
ここで、第１の課題であるシルクを筆の毛に使用する場合の強度、腰、耐久性等という弱点を、従来のように他物質と混合又は加工で強くするのではなく、筆を上記の形状にすることで解決する。これは、従来のような方法では、肌の弱い人が使用する場合の混合物の影響や、他の毛と混合した場合のシルクの効果の半減という、シルクの本来の機能を充分発揮することが困難であったためである。
次に、第２の課題であるシルクを筆の毛に使用する場合の肌触りの悪さという問題に対し、毛の断面を肌に当たりにくくするため、筆を上記形状にすることで解決する。これにより、筆を寝かせた角度で使用する状態を作り出せるため、肌触りの良さが実現できる。
そして、第３の課題であるシルクを用いたスキンケア商品の使用限度は感覚的なものでしか判断できないという問題に対し、上記形状の筆の毛にゴールデンシルクを使用することで解決する。ゴールデンシルクは、お湯に付けることによりカロテン色素を含むセリシンが溶け出すため、黄色が薄くなるという性質を持っている。つまり、黄色が薄くなることで美容効果を持つセリシンが減少していくことが視覚的にわかり、使用限度の判断が可能になる。
【発明の効果】
【０００５】本発明により、シルクを筆として効果的に使用することが可能になった。
毛の長さと扁平率を調節することにより、以下の効果が生まれる。
・筆の毛をシルクのみで形成可能
・シルクの繊維を他の物質等で加工する必要がない
・細い繊維であるシルクのみを用いることにより、角質、皮脂、汚れ等を効果的に除去す  ることが可能
・使用者に筆を寝かせた状態で肌に当てる使い方を促すことが可能になるため、シルク繊  維の断面の当たりを軽減でき、肌触りが良くなる
・ゴールデンシルクの黄色が白色化することにより、商品の最適な使用期間の判断が可能
また、上記の相乗効果として、毛の一度に肌に当たる面積の拡大が実現するため、シルクに含まれるセリシン等による美容効果が充分に発揮できる商品となり、以下の効果も生まれる。
・セリシンという保湿効果の非常に高い成分による肌への張りと潤いの実現
・ゴールデンシルクの主な色組成分であるカロテンによる抗菌性及び坑酸化作用、またセ  リシンによる活性酸素を抑制する働きによる老化防止作用
・外部の刺激からサナギを保護するためはきだされる生糸から作られた繭の、紫外線等を  吸収する作用によるＵＶカット効果
以上のことからわかるように、本発明はピーリングと保湿という、相反する効果を同時に実現できる形状となったことに加え、シルクの持つ坑酸化作用等も加わり、美容効果の高い全く新しいスキンケア用の筆となった。
このように、本発明は、最小限の加工で、天然素材であるシルクの美容効果を最大限引き出せる画期的商品である。
【発明を実施するための形態】
【０００６】シルクを毛に使用し、ハンディータイプの柄に取り付け、毛と柄の接続部分の直径を１０ｍｍ〜５０ｍｍとし、実施例１、２、３及び４の形態にする。
【実施例１】図３のパターンＡは、扁平率２０％において毛の長さ５４ｍｍ以上、扁平率４８％において毛の長さ４５ｍｍ以上、扁平率８０％において毛の長さ３０ｍｍ以上という、２０％〜８０％の扁平率に応じて各毛の長さを調節した形状を示す。そして、このパターンＡのラインの数値を基準とし、毛の長さと扁平率をこのラインより上の数値に調節した（ライン上の数値を含む）形状の筆にする。これにより、筆を寝かせた角度で使用する状態を作り出せる。
【実施例２】より好ましい形態として、扁平率２０％において毛の長さ５４ｍｍ〜９０ｍｍ、扁平率４８％において毛の長さ４５ｍｍ〜８０ｍｍ、扁平率８０％において毛の長さ３０ｍｍ〜６５ｍｍという、２０％〜８０％の扁平率に応じて設定範囲内で各毛の長さを調節した形状の筆にする。つまり、パターンＡを基準としそのラインより上の数値（ライン上の数値を含む）、かつシルクが筆の毛としての形状を保てる限界範囲を示したパターンＢのラインより下の数値（ライン上の数値を含む）の間で、毛の長さと扁平率を調節した形状の筆にする。この２本のラインの範囲内で数値を調節した形状の筆にすることで、筆を寝かせた角度で使用する状態を作り出し毛の肌当たりの良さを実現すると同時に、シルクを筆の毛に使用し形状を保つことが可能な最良の形態となる。
【実施例３】上記実施例１又は２の毛の部分にゴールデンシルクを使用する。これにより、使用時間の経過と共に視覚的に色の変化があるため、本商品の効果的な使用期間の判断が可能となる。
【実施例４】上記実施例１、２又は３の筆の軸と毛先部分が分離でき、毛先部分を取替え可能な形態にする。これにより、軸部分を繰り返し使用でき、経済的かつ効果的な筆の使用が可能となる。
【図面の簡単な説明】
【０００７】
【図１】本発明の筆の平面図である。
【図２】本発明の筆の毛と柄の接続部分の断面図である。
【図３】本発明の筆を使用した場合に、シルクが筆の毛としての形状を保ちながら、毛の肌当たりが良いと感じる範囲の毛の長さと扁平率を示したグラフである。なお、毛と柄の接続部分の直径を１０ｍｍ〜５０ｍｍとし、２０％〜８０％の扁平率に応じ各毛の長さを３０ｍｍ〜９０ｍｍで調節した場合である。
【符号の説明】
【０００８】  １  毛先の部分
２  毛と柄の接続部分
３  毛の長さ
４  軸の部分
５  毛先と軸の分離可能部分
６  柄の部分
７  毛と柄の接続部分を楕円に押しつぶした時の断面図
８  毛の肌あたりが良いと感じる基準ライン
９  シルクが筆の毛として形状を保てる限界ライン
【図１】
2010188108.tif 000003
【図２】
2010188108.tif 000004
【図３】
2010188108.tif 000005